(57)【特許請求の範囲】
【請求項１】
複数のガスバーナーを備え、各ガスバーナーに、第１の開閉弁を備えた１本のガス管から分岐した分岐管をそれぞれ接続すると共に、各分岐管に、ガスバーナーへの燃料ガスのガス流量を調節するモータ駆動式の流量調節手段を設け、各ガスバーナーの作動をライトタッチスイッチによって制御するガス器具において、各分岐管に電磁式の第２開閉弁を、前記モータ駆動式の流量調節手段に対して直列にそれぞれ設けたことを特徴とするガス器具。
【請求項２】
前記流量調節手段は閉止機能を有さないものであることを特徴とする請求項１記載のガス器具。
【発明の詳細な説明】
【０００１】
【発明の属する技術分野】
本発明は、例えば自動復帰式のライトタッチスイッチによって、ガスバーナーへの燃料ガスの供給やそのガス流量の調節等のガスバーナーの作動が制御できるガスコンロ等のガス器具に関する。
【０００２】
【従来の技術】
この種のガスコンロは、例えば特公平７−９４８９０号公報が知られている。該ガスコンロは、天板の開口を臨むようにコンロ器体に設けた２個のブンゼン式コンロバーナーとグリルに設けたセラミックプレート式グリルバーナーとを有する。各バーナーの混合管には、電磁弁である開閉弁を設けた１本のガス管から分岐した分岐管がそれぞれ接続されている。
【０００３】
各分岐管には、コンロ及びグリルの各バーナーへのガス流量を調節する流量調節弁が設けられている。該流量調節弁は、例えば、ガス通路の通路面積を増減する駆動体を有し、該駆動体は、ステッピングモータなどのモータで駆動される。
【０００４】
ここで、１本のガス管から分岐した分岐管をそれぞれ接続した複数のガスバーナーを設けたガスコンロでは、各バーナーが個別に使用できるようにバーナー毎に燃料ガスの供給が制御できなければならない。
【０００５】
このため、上記のものでは流量調節弁に閉止機能を持たせている。そして、コンロ及びグリルの各バーナーの着火や火力調節などの作動の制御は、コンロ器体正面の操作パネルに設けた自動復帰式のライトタッチスイッチにより行われる。
【０００６】
ライトタッチスイッチを押操作してバーナーの点火指示を行うと、モータによって駆動体が駆動されて流量調節弁を閉弁位置から開弁位置に移行すると共に電磁弁が開弁して点火が行われる。この場合、確実なガスバーナーの着火のため、ガスバーナーを強火にするガス流量の燃料ガスが流れるように流量調節弁が制御される。そして、燃料ガスのガス流量は、火力調節用のライトタッチスイッチを押操作してモータによって駆動体を駆動させガス通路の開口面積を変化させて行われる。
【０００７】
【発明が解決しようとする課題】
しかしながら、このものでは、例えば２個のコンロバーナーを同時に使用している場合にいずれか一方のコンロバーナーを消火するとき、電磁弁を閉弁することはできないので、その消火しようとするコンロバーナーに対応した流量調節弁を閉弁する必要がある。この場合、モータによって駆動体を、流量調節弁の閉弁位置に移行するには数秒の時間がかかるので、消火に時間がかかるという問題があった。
【０００８】
また、一旦消火したコンロバーナーを点火する場合もまた、モータによって駆動体を、ガスバーナーを強火にするガス流量の燃料ガスが流れる点火位置まで駆動させるため点火に時間がかかるという問題があった。
【０００９】
その上、各バーナーの初期点火時には、電磁弁の開弁操作と流量調節弁の開弁操作とを同時に行うため大きな電流が必要になる。この場合、例えばトランス容量を大きくする必要があり、これではコスト高を招く。
【００１０】
そこで、本発明の課題は、上記点に鑑み、ガスバーナーの点火、消火を迅速に行え、その上、電流消費を少なくできるガス器具を提供することに課題とするものである。
【００１１】
【課題を解決するための手段】
この課題を解決するため、本発明のガス器具は、複数のガスバーナーを備え、各ガスバーナーに、第１の開閉弁を備えた１本のガス管から分岐した分岐管をそれぞれ接続すると共に、各分岐管に、ガスバーナーへの燃料ガスのガス流量を調節するモータ駆動式の流量調節手段を設け、各ガスバーナーの作動をライトタッチスイッチによって制御するガス器具において、各分岐管に電磁式の第２開閉弁を、前記モータ駆動式の流量調節手段に対して直列にそれぞれ設けたことを特徴とする。
【００１２】
本発明によれば、ライトタッチスイッチを押操作してガスバーナーの点火指示を行うと、第１及び第２の各開閉弁がそれぞれ開弁される。この場合、分岐管に第２開閉弁が設けられ、第２開閉弁で各バーナーへの燃料ガスの供給を遮断できるので、前回ガスバーナー消火時に、モータ駆動式の流量調節手段を閉弁位置に移行させる必要はない。このため、第１及び第２の各開閉弁が開弁するとガスバーナーに直ちに燃料ガスが流れ、点火操作が行われる。
【００１３】
そして、例えば２個のガスバーナーを使用している場合に、いずれか一方のガスバーナーを消火するとき、第２開閉弁を閉弁すれば該ガスバーナーは消火できる。この場合、モータによって駆動体を駆動して流量調節手段を閉弁位置に移行させて消火させるものと比較して迅速に消火できる。
【００１４】
また、一旦消火したガスバーナーを点火する場合、流量調節手段は燃料ガスの流れを遮断しない位置にあるので、第２開閉弁を開弁すると直ちにガスバーナーに燃料ガスが供給され点火を行い得る。このため、閉弁位置から点火位置まで移動させて点火するものに比較してその点火に時間はかからない。
【００１５】
尚、前記流量調節手段は、閉止機能を有さないものとるのがよい。これにより、流量調節弁自体に高度のシール性が要求されないので、製造コストの低減を図れる。
【００１６】
【発明の実施の形態】
図１及び図２を参照して、１は、本発明のガスコンロを示す。ガスコンロ１はコンロ器体１１を有し、該コンロ器体１１には、その上面に装着された天板１２の円形開口を臨むように、加熱量が相違する２個のコンロバーナ１３ａ、１３ｂが設けられている。コンロバーナ１３ａ、１３ｂは外周に複数の炎口が列設されたブンゼン式の外炎バーナである。
【００１７】
コンロ器体１１の正面の両端には操作パネル１４が設けられ、該両操作パネル１４の間に位置してコンロ器体１１にはグリル２が設けられている。該グリル２はグリル庫２１を備え、グリル庫２１の天井部には被調理物を調理するグリルバーナ２ａ（図２参照）が設けられている。該グリルバーナー２ａは、貫通する複数個のガス噴出口を備えた複数枚のセラミック製プレートを装着してなるバーナーである。
【００１８】
グリル庫２１の開口した前面には耐熱性ガラスが嵌め込まれたグリル扉２２が着脱自在に装着される。該グリル扉２２の裏面には枠材２２ａが着脱自在に装着され、該枠材２２ａがグリル皿２３を支持し、グリル扉２２の開閉に伴ってグリル皿２３をグリル庫２１から出入れする。皿状に形成されたグリル皿２３はまた、魚等の被調理物が載置される焼き網２４を支持する。
【００１９】
コンロバーナ１３ａ、１３ｂ及びグリルバーナー２ａの作動は、両端の操作パネル１４に配置した点火／消火用ライトタッチスイッチ１５ａ、１５ｂ、１５ｃ及び火力調節用ライトタッチスイッチ１６ａ、１６ｂ、１６ｃで制御される。
【００２０】
プリント基板に装着されたライトタッチスイッチ１５、１６は自動復帰式のものであり、調理者が指で軽く触れると、その制御指示をコンロ器体１１に設けたガスコンロ１の作動を制御するマイコンに出力する。また、火力調整用ライトタッチスイッチ１６は、コンロバーナー１３ａ、１３ｂ及びグリルバーナーの火力を段階的に増減できるように２個のスイッチを並設して構成したものである。
【００２１】
図２に示すように、２個のコンロバーナー１３ａ、１３ｂ及びグリルバーナー２ａの各混合管には、コンロ器体１１内で第１開閉弁である第１電磁弁３を設けた１本のガス管４から分岐した分岐管４１ａ、４１ｂ、４１ｃがそれぞれ接続されている。各分岐管４１ａ、４１ｂ、４１ｃには、コンロ及びグリルの各バーナー１３ａ、１３ｂ、２ａへのガス流量を調節するモータ駆動式の流量調節弁５ａ、５ｂ、５ｃが介設されている。
【００２２】
図３及び図４を参照して、流量調節弁５ａは内部通路５１を有するバルブケーシング５２を有し、該バルブケーシング５２には該内部通路５１に連通するガス流入部５３ａとガス流出部５３ｂとが設けられている。
【００２３】
バルブケーシング５２の下側には、エンコーダ等の回転各検出手段を有するステッピングモータ５４が連結され、該ステッピングモータ５４の回転軸５４ａの一端はシール材５４ｂを介して内部通路５１に突出している。
【００２４】
また、内部通路５１には、回転軸５４ａの一端に連結された駆動体である回転ディスク５５と、該回転ディスク５５の上方に位置してバルブケーシング５２に嵌着された固定ディスク５６とが設けられている。
【００２５】
図４に示すように、固定ディスク５６には、第１連通孔である４個の孔５６ａ、５６ｂ、５６ｃ、５６ｄが相互に開口面積を相違させて同一円周上に設けられている。一方、回転ディスク５５には、回転軸５４ａが所定の角度回転すると第１連通孔の各孔５６ａ、５６ｂ、５６ｃ、５６ｄ内に一致して内部通路５１とガス流出部５３ｂとの連通を許容する１個の楕円形第２連通孔５５ａが開設されている。
【００２６】
そして、ステッピングモータ５４を駆動して回転ディスク５５を回転させ、第２連通孔５５ａを、第１連通孔５６ａ、５６ｂ、５６ｃ、５６ｄに一致させて燃料ガスの流量が調節される。
【００２７】
ここで、流量調節弁５ａ、５ｂ、５ｃに閉止機能を持たせ、分岐管４１ａ、４１ｂ、４１ｃでの燃料ガスの供給を遮断するのでは、例えば、各コンロバーナー１３ａ、１３ｂを使用している場合に、一方のガスバーナー１３ａを消火するときその点火及び消火に時間がかかる等の問題が生じる。
【００２８】
本実施の形態では、コスト高を招く閉止機能を流量調節弁５ａ、５ｂ、５ｃには持たせず、分岐管４１に第２開閉弁である第２電磁弁６ａ、６ｂ、６ｃを介設することとした。これにより、コンロ及びグリルの各バーナー１３ａ、１３ｂ、２ａの点火及び消火を迅速に行い得る。
【００２９】
また、点火操作時には第１及び第２の電磁弁３、６ａ、６ｂ、６ｃを開弁すると点火操作を行い得るので、ステッピングモータ５４を駆動して流量調節弁５ａ、５ｂ、５ｃを閉弁位置から点火位置に移行させると共に点火操作を行う従来のものに比較してその消費電流も小さくてよい。
【００３０】
次ぎに、本発明のガスコンロ１の作用を説明する。例えば、一方のコンロバーナー１３ａを点火するため、ライトタッチスイッチ１５ａを押操作して点火指示を行うと、第１及び第２の各開閉弁３、６ａがそれぞれ開弁される。
【００３１】
ここで、分岐路４１ａには第２開閉弁６ａを設け、第２開閉弁６ａで各バーナーへの燃料ガスの供給を遮断できるので、前回のコンロバーナー１３ａの消火時に、流量調節手段５ａは、火力が強になるガス流量が流れる点火位置に移行させて停止させている。
【００３２】
この状態で、例えば別のコンロバーナー１３ｂを点火するため、ライトタッチスイッチ１５ｂを押操作して点火指示を行うと、第２開閉弁６ｂが開弁し、直ちに、コンロバーナー１３ｂの混合管に燃料ガスが供給され、点火操作が行われる。
【００３３】
次いで、いずれか一方のコンロバーナー１３ａを消火するため、ライトタッチスイッチ１５ａを押操作して消火指示を行うと、第２開閉弁６ａが閉弁される。この場合、コンロバーナー１３ａへの燃料ガスの供給が遮断されるので、コンロバーナー１３ａは直ちに消火される。
【００３４】
尚、一旦消火したコンロバーナー１３ａを点火する場合、ガスバ第２開閉弁６ａを開弁して点火するだけで点火でき、その点火に時間はかからない。
【００３５】
【発明の効果】
以上に説明したように本発明のガス器具では、ガスバーナーの点火、消火を迅速に行え、その上、電流消費を少なくできるという効果を奏する。
【図面の簡単な説明】
【図１】本発明のガスコンロの斜視図
【図２】燃料ガスの供給を説明する図
【図３】流量調節手段の断面図
【図４】流量調節手段による流量調節を説明する図
【符号の説明】
１    ガスコンロ
１３ａ、１３ｂ  ２ａ  ガスバーナー
１５、１６  ライトタッチスイッチ
３、６ａ、６ｂ、６ｃ  開閉弁
４  ガス管
４１  分岐管
５  流量調節弁
【図１】
0003813094.tif 000002
【図２】
0003813094.tif 000003
【図３】
0003813094.tif 000004
【図４】
0003813094.tif 000005